(57)【特許請求の範囲】
【請求項１】
本体と、この本体の前部および後部にそれぞれ配置された左右一対のクローラとを備え、各クローラが、前後に離れて配置された駆動輪および従動輪と、これら駆動輪および従動輪に掛け渡されたクローラベルトとを有し、
上記クローラの駆動輪を回転させてクローラベルトを回す第１駆動手段と、クローラ全体を駆動輪の軸線を中心として揺動させる第２駆動手段とを備えた走行装置において、
上記本体の前部、後部の少なくとも一方に移動体が配置され、この移動体に上記左右一対のクローラとこれらクローラのための上記第１、第２の駆動手段が支持されることにより、クローラユニットが構成され、
さらに、上記移動体を上記本体に対して前後方向にスライド可能に支持するガイド手段と、上記移動体を上記本体に対して前後方向に移動させ、これにより上記クローラユニット全体を上記本体に対して前後方向に位置調節する移動手段とを備え、
上記ガイド手段が上記本体に固定されて前後方向に延びるロッドと、上記移動体に固定されこのロッドに案内されて走行するスライダとを有し、
上記移動手段が、上記本体に固定されて前後方向に延びる細長い第１係合部材と、上記移動体に回転可能に支持されて上記第１係合部材に係合する第２係合部材と、上記移動体に支持されて上記第２係合部材を回転させる第３駆動手段とを備え、
上記第３駆動手段は上記第１、第２駆動手段から独立しており、上記第２係合部材を回転させることにより、上記第２係合部材の上記第１係合部材に対する係合位置を変え、ひいては上記クローラユニットの上記本体に対する前後位置を調節することを特徴とする走行装置。
【請求項２】
本体と、この本体の前部および後部にそれぞれ配置された左右一対のクローラとを備え、各クローラが、前後に離れて配置された駆動輪および従動輪と、これら駆動輪および従動輪に掛け渡されたクローラベルトとを有し、
上記クローラ毎に、その駆動輪を回転させてクローラベルトを回す第１駆動手段と、クローラ全体を駆動輪の軸線を中心として揺動させる第２駆動手段とを備えた走行装置において、
上記本体の前部、後部の少なくとも一方に左右一対の移動体が配置され、これら移動体のそれぞれに、上記クローラとこのクローラのための上記第１、第２の駆動手段が支持されることにより、左右一対のクローラユニットが構成され、
さらに、上記移動体を上記本体に対して前後方向にスライド可能に支持するガイド手段と、上記移動体を上記本体に対して前後方向に移動させ、これにより上記クローラユニット全体を上記本体に対して前後方向に位置調節する移動手段とを備え、
上記ガイド手段が上記本体に固定されて前後方向に延びるロッドと、上記移動体に固定されこのロッドに案内されて走行するスライダとを有し、
上記移動手段が、上記本体に固定されて前後方向に延びる細長い第１係合部材と、上記移動体に回転可能に支持されて上記第１係合部材に係合する第２係合部材と、上記移動体に支持されて上記第２係合部材を回転させる第３駆動手段とを備え、
上記第３駆動手段は上記第１、第２駆動手段から独立しており、上記第２係合部材を回転させることにより、上記第２係合部材の上記第１係合部材に対する係合位置を変え、ひいては上記クローラユニットの上記本体に対する前後位置を調節することを特徴とする走行装置。
【請求項３】
上記移動体は上記本体の下方に配置されたベースフレームを有し、上記第３駆動手段がモータを含み、このモータと上記第２係合部材が上記ベースフレームに支持されていることを特徴とする請求項１または２に記載の走行装置。
【請求項４】
本体と、この本体の前部および後部にそれぞれ配置された左右一対のクローラとを備え、各クローラが、前後に離れて配置された駆動輪および従動輪と、これら駆動輪および従動輪に掛け渡されたクローラベルトとを有し、
上記クローラの駆動輪を回転させてクローラベルトを回す第１駆動手段と、クローラ全体を駆動輪の軸線を中心として揺動させる第２駆動手段とを備えた走行装置において、
上記本体の前部、後部の少なくとも一方に移動体が配置され、この移動体に上記左右一対のクローラとこれらクローラのための上記第１、第２の駆動手段が支持されることにより、クローラユニットが構成され、
さらに、上記移動体を上記本体に対して前後方向にスライド可能に支持するガイド手段と、上記移動体を上記本体に対して前後方向に移動させ、これにより上記クローラユニット全体を上記本体に対して前後方向に位置調節する移動手段とを備え、
上記移動体は上方に延びる支持板を有し、上記第１、第２駆動手段がそれぞれモータを含み、これらモータが上記支持板の上部に固定されるとともに中空をなす本体内に配置されていることを特徴とする走行装置。
【請求項５】
本体と、この本体の前部および後部にそれぞれ配置された左右一対のクローラとを備え、各クローラが、前後に離れて配置された駆動輪および従動輪と、これら駆動輪および従動輪に掛け渡されたクローラベルトとを有し、
上記クローラ毎に、その駆動輪を回転させてクローラベルトを回す第１駆動手段と、クローラ全体を駆動輪の軸線を中心として揺動させる第２駆動手段とを備えた走行装置において、
上記本体の前部、後部の少なくとも一方に左右一対の移動体が配置され、これら移動体のそれぞれに、上記クローラとこのクローラのための上記第１、第２の駆動手段が支持されることにより、左右一対のクローラユニットが構成され、
さらに、上記移動体を上記本体に対して前後方向にスライド可能に支持するガイド手段と、上記移動体を上記本体に対して前後方向に移動させ、これにより上記クローラユニット全体を上記本体に対して前後方向に位置調節する移動手段とを備え、
上記移動体は上方に延びる支持板を有し、上記第１、第２駆動手段がそれぞれモータを含み、これらモータが上記支持板の上部に固定されるとともに中空をなす本体内に配置されていることを特徴とする走行装置。
【請求項６】
上記クローラユニットが上記本体の前部および後部の両方に装備されることを特徴とする請求項１〜５のいずれかに記載の走行装置。
【請求項７】
請求項１〜６のいずれかに記載の走行装置を制御して段差を乗り越える方法において、全てのクローラのクローラベルトを同方向に回して走行装置を走行させ、この走行の過程で、
ア．進行方向の前側のクローラユニットを最前位置にスライドさせるとともに、進行方向の前側のクローラを斜め上方に回動させ、進行方向の後側のクローラを本体から後方に向けて突出させた状態で、走行装置を段差に近づける工程と、
イ．次に、進行方向の前側のクローラを段差に当てて段差の段鼻部に乗り上げさせ、さらにこれら前側のクローラを下方に回動させて上記段鼻部を超えさせる工程と、
ウ．次に、進行方向の後側のクローラを下方に回動させることにより本体における進行方向の後側の部位を持ち上げるとともに、進行方向の前側のクローラユニットを上記本体に対して相対的に後方にスライドさせることにより、本体の重心を進行方向に移動させる工程と、
を実行することを特徴とする段差乗り越え方法。
【発明の詳細な説明】
【技術分野】
【０００１】
本発明は、本体の前後にそれぞれ左右一対のフリッパ式クローラを備えた走行装置及びこの走行装置による段差乗り越え方法に関する。
【背景技術】
【０００２】
本願発明の基本構成を備えた走行装置、すなわち本体の前部と後部に左右一対のフリッパ式クローラを配置した走行装置は、特許文献１の図８に示すように公知である。この走行装置が平坦な整地を走行する場合には、前側のクローラを前方に水平に倒し、後側のクローラを後方に水平に倒し、これら前後のクローラを本体から突出させて走行する。この走行装置が不整地を走行する場合には、クローラを凹凸に対応して揺動させて走行する。
【０００３】
本願発明と基本構成は異なるものの、特許文献２，３には本願発明の特徴部に関連する走行装置を開示している。以下、各特許文献について説明する。
【０００４】
特許文献２は、本体の左右に一対のクローラを装備した走行装置を開示している。この走行装置において、クローラの駆動輪は本体に所定位置で回転可能に支持されており、本体に設けられた原動機によって回転駆動される。クローラの前後の従動輪は本体に対して前後方向に位置調節され、これにより、クローラの接地部が本体に対して前後方向に位置調節される。特に図８の第５実施例では、走行フレーム１０の前後端に従動輪が回転可能に支持され、この走行フレームがスライド調節機構を介して本体側のフレームに支持されている。この調節機構により、走行フレーム１０が本体に対して前後方向に位置調節され、ひいてはクローラの前後の従動輪が本体に対して前後方向に位置調節される。
【０００５】
特許文献３も、本体の左右に一対のクローラを装備した走行装置を開示している。この走行装置では、クローラがリンクを介して本体に設けられており、このリンクをシリンダで回動させることにより、クローラを本体に対して左右方向（幅方向）に移動させる。この際、クローラは本体に対して前後方向にも移動する。
【先行技術文献】
【特許文献】
【０００６】
【特許文献１】特開平３−２７９０８７号公報
【特許文献２】特開２０００−２３３７７３号公報
【特許文献３】特開平７−２３７５６６号公報
【発明の概要】
【発明が解決しようとする課題】
【０００７】
特許文献１の走行装置では、フリッパ式クローラが本体に対して回動するものの、その回動中心位置が変わらないため、その走行性能が低かった。例えば砂地等の軟弱地盤で走行したり、浮力が作用する水中で走行する場合に、クローラによる牽引力が弱いので、段差を乗り越えるのに困難が伴うことがあった。
【０００８】
特許文献２の走行装置では、クローラの駆動輪が本体の固定位置に支持されており、前後の従動輪が前後方向に位置調節される。従動輪は一定長さのベルトが緩まずに掛けられる位置にしなければならず、実質的には前後の２位置しか取り得ない。そのため、走行中に従動輪の位置調節をすることはできず、例えば段差乗り越え性能の改善に寄与するような構造を提案するものではない。
【０００９】
特許文献３の走行装置では、クローラが前後方向だけでなく左右方向にも移動するため、特殊な用途にしか用いることができない。
【課題を解決するための手段】
【００１０】
本発明は上記課題を解決するためになされたものであり、その一態様では、
本体と、この本体の前部および後部にそれぞれ配置された左右一対のクローラとを備え、各クローラが、前後に離れて配置された駆動輪および従動輪と、これら駆動輪および従動輪に掛け渡されたクローラベルトとを有し、上記クローラの駆動輪を回転させてクローラベルトを回す第１駆動手段と、クローラ全体を駆動輪の軸線を中心として揺動させる第２駆動手段とを備えた走行装置において、
上記本体の前部、後部の少なくとも一方に移動体が配置され、この移動体に上記左右一対のクローラとこれらクローラのための上記第１、第２の駆動手段が支持されることにより、クローラユニットが構成され、さらに、上記移動体を上記本体に対して前後方向にスライド可能に支持するガイド手段と、上記移動体を上記本体に対して前後方向に移動させ、これにより上記クローラユニット全体を上記本体に対して前後方向に位置調節する移動手段とを備えたことを特徴とする。
【００１１】
上記構成によれば、各クローラが揺動するばかりではなく、本体の前部及び／又は後部に設けたクローラユニットを本体に対して前後方向にスライドすることにより、このクローラユニットに支持されたクローラを本体に対して前後方向に位置調節することができるので、種々の走行状況に応じて多様なクローラ制御を実行でき、走行性能を向上させることができる。
【００１２】
本発明の他の態様では、本体の前部及び／又は後部に設けたクローラユニットが左右に一対装備されている点が上記態様と異なる。これによれば、構造は複雑になるが、左右のクローラを別々に前後方向にスライド調節できるので、走行性能をさらに向上させることができる。
【００１３】
好ましくは、上記ガイド手段が上記本体に固定されて前後方向に延びるロッドと、上記移動体に固定されこのロッドに案内されて走行するスライダとを有し、上記移動手段が、上記本体に固定されて前後方向に延びる細長い第１係合部材と、上記移動体に回転可能に支持されて上記第１係合部材に係合する第２係合部材と、上記移動体に支持されて上記第２係合部材を回転させる第３駆動手段とを備え、上記第２係合部材を回転させることにより、上記第２係合部材の上記第１係合部材に対する係合位置を変え、ひいては上記クローラユニットの上記本体に対する前後位置を調節する。
この構成によれば、本体側に長尺のロッドと第１係合部材を固定したので、クローラユニットの前後方向寸法を増大させずに済む。
【００１４】
好ましくは、上記移動体は上方に延びる支持板を有し、上記第１、第２駆動手段がそれぞれモータを含み、これらモータが上記支持板の上部に固定されるとともに中空をなす本体内に配置されている。
これによれば、クローラの接地機能を確保しつつ、走行装置の小型化を図ることができる。
【００１５】
好ましくは、上記クローラユニットが上記本体の前部および後部の両方に装備される。これによれば、走行装置の走行性能をより一層向上させることができる。
【００１６】
本発明は、上記走行装置を制御して段差を乗り越える方法において、全てのクローラのクローラベルトを同方向に回して走行装置を走行させ、この走行の過程で、
ア．進行方向の前側のクローラユニットを最前位置にスライドさせるとともに、進行方向の前側のクローラを斜め上方に回動させ、進行方向の後側のクローラを本体から後方に向けて突出させた状態で、走行装置を段差に近づける工程と、
イ．次に、進行方向の前側のクローラを段差に当てて段差の段鼻部に乗り上げさせ、さらにこれら前側のクローラを下方に回動させて上記段鼻部を超えさせる工程と、
ウ．次に、進行方向の後側のクローラを下方に回動させることにより本体における進行方向の後側の部位を持ち上げるとともに、進行方向の前側のクローラユニットを上記本体に対して相対的に後方にスライドさせることにより、本体の重心を進行方向に移動させる工程と、
を実行する特徴とする。  
【００１７】
上記方法によれば、例えば砂地等の軟弱地盤で走行したり、浮力が作用する水中で走行する場合に、クローラによる牽引力が弱くても、本体重心の移動により段差を円滑に乗り越えることができる。
【発明の効果】
【００１８】
本発明では、クローラユニットの前後方向スライド制御を加えることにより、フリッパ式クローラを備えた走行装置の走行性能を向上させることができる。
【図面の簡単な説明】
【００１９】
【図１】本発明の第１実施形態をなす水中走行装置を示す側面図であり、前側クローラユニットを後退させた状態で示す。
【図２】同走行装置を前方から見た正面図である。
【図３】同走行装置の本体上部を省略し、前後のクローラユニットをボデイから突出させた状態で示す平面図である。
【図４】同走行装置のクローラユニットを省略し、ガイド手段と移動手段を一部断面にして示す側面図である。
【図５】前側のクローラユニットの平面図である。
【図６】前側のクローラユニットを前方から見た正面図である。
【図７】同走行装置が水中の傾斜面を上りながら走行する様子を示す概略図である。
【図８】（Ａ）〜（Ｈ）は、同走行装置が水中の段差を乗り越える際の作用を順を追って説明する概略図である。
【図９】本発明の第２実施形態をなす水中走行装置を示す図２相当図である。
【発明を実施するための形態】
【００２０】
以下、本発明の第１実施形態に係わる水中走行装置（水中探査ロボットまたは水中作業ロボットともいう）について、図面を参照しながら説明する。本実施形態の走行装置は比較的小型軽量のクローラ型サービスロボットである。
最初に走行装置の基本構成を簡単に説明する。図１〜図６には理解を容易にするために、前後左右を矢印で示す。このロボットは、長い本体１と、この本体１の前後に設けられた一対のクローラユニット２とを備えている。
【００２１】
上記本体１は、平面形状が前後に長い矩形をなすベースフレーム１ａと、このベース部１ａの上面に固定された支持フレーム１ｂとを有している。この支持フレーム１ｂには例えば４個のフロート３が固定されている。本体１の下側の部分は中空をなしている。
【００２２】
上記支持フレーム１ｂの上面中央には引っ掛け部（図示しない）が形成され、この引っ掛け部に連結されたケーブル（図示しない）により、走行装置が母船または潜水艇等から上げ降ろしされるようになっている。
【００２３】
図１、図４にのみ概略的に示すように、上記本体１の支持フレーム１ｂの前端および後端には、ライト４とビデオカメラ５が設けられており、必要に応じて上記本体１には多関節のロボットアーム等からなるマニピュレータ（図示しない）が設けられる。
【００２４】
上記ボデイ１の支持フレーム１ｂにはさらにコントロールユニット６（制御手段）が固定されており、このコントロールユニット６と母船または潜水艇等の基地局との間でケーブルを介して送受信が行われるようになっている。
【００２５】
コントロールユニット６はビデオカメラ５による映像を基地局に送る。基地局の操作者はビデオカメラ５による映像を見ながら遠隔操作信号を送り、コントロールユニット６はこの遠隔操作信号に応答して、クローラユニット２やマニピュレータのための制御を行なう。
【００２６】
前後のクローラユニット２は同一構成をなしているので、前側のクローラユニット２について説明し、後側のクローラユニット２には図において対応する構成部に同番号を付してその説明を省略する。
図１、図５、図６に最も良く示すように、クローラユニット２は、左右方向に延びる細長い移動体１０と、この移動体１０の左右端に支持されたクローラ２０とを有している。
【００２７】
上記移動体１０は、左右方向に細長い平面略長方形のベースフレーム１１と、このベースフレーム１１の左右端部に固定されたサポート１２とを有している。
上記ベースフレーム１１は、左右方向に延び前後に離間した長板１１ａの左右端に端板１１ｂを固定することにより中空に構成されている。これら長板１１ａと端板１１ｂは垂直をなしている。端板１１ｂは長板１１ａから下方に突出している。
左右のサポート１２は、端板１１ｂに順に固定されたブロック１２ａ，支持板１２ｂ、ブラケット１２ｃを有している。この支持板１２ｂは垂直をなして上方に突出し、その上部が本体１の左右側面に近接して配置されている。
【００２８】
各クローラ２０は、左右一対の細長い側板２１と、これら一対の側板２１の両端部間に回転可能に支持された駆動輪２２および従動輪２３（いずれも図１のみ破線で示す）と、これら駆動輪２２および従動輪２３に掛け渡されたクローラベルト２４とを有している。図５、図６に示すように、クローラベルト２４は周方向に離間した多数の接地ラグ２４ａを有しているが、図１ではその外接円のみ示す。
【００２９】
上記クローラ２０の駆動輪２２の車軸は、上記移動体１０のサポート１２に回転可能に支持され、第１駆動手段３０により正逆方向に回転駆動されるようになっている。この第１駆動手段３０は、支持板１２ｂの上部に固定されたモータ３１と、このモータ３１の出力軸に固定されたプーリ３２と、上記駆動輪２２の車軸に固定されたプーリ３３と、これらプーリ３２，３３間に掛け渡された伝達ベルト３４とを有している。
【００３０】
上記モータ３１の駆動でプーリ３２，３３および伝達ベルト３４（動力伝達系）を介して駆動輪２２を回転させ、クローラベルト２４を回すことにより、走行装置を走行させることができる。全てのクローラ２０が正回転すると走行装置が前進し、逆回転すると走行装置が後退する。さらに４つのクローラ２０を適宜回転制御することにより、走行装置を旋回させることもできる。
【００３１】
クローラ２０全体は、第２駆動手段４０により駆動輪２２の軸線Ｌ（図６参照）を中心として揺動（回動）され、フリッパとしての役割を担うようになっている。この第２駆動手段４０は、支持板１２ｂの上部に固定されたモータ４１を有するとともに、動力伝達系として、このモータ４１の出力軸に固定されたプーリ４２と、クローラ２０の側板２１に固定されて駆動輪２２の車軸に回転可能に支持されたプーリ４３と、これらプーリ４２，４３間に掛け渡された伝達ベルト４４とを有している。
【００３２】
上記第１、第２駆動手段３０，４０のモータ３１，４１は、互いに平行をなして、本体１の中空をなす下部内に配置されている。
【００３３】
図４、図５に最も良く示すように、各クローラユニット２は、ガイド手段５０により本体１に対して前後方向にスライド可能に支持されている。
このガイド手段５０は、前後のクローラユニット２に共通の、左右一対のガイドロッド５１を有している。これらガイドロッド５１は前後方向に延び、その両端が本体１のベースフレーム１ａの前辺部と後辺部に固定され、その中央がベースフレーム１ａに固定されたサポート５２に支持されている。
上記ガイドロッド５１の前部が前側のクローラユニット２のガイドに提供され、後部が後側のクローラユニット２のガイドに提供される。
【００３４】
各クローラユニット２のガイド手段５０は、移動体１０のベースフレーム１１において前後２つの長板１１ａの左右端部に固定された合計４つのスライダ５５を有している。各スライダ５５には貫通穴が形成されており、この貫通穴にブッシュ５５ａが装着されている。
【００３５】
上記左右のガイドロッド５１が、上記長板１１ａを貫通し前後のスライダ５５のブッシュ５５ａを貫通することにより、移動体１０がスライド可能に支持され、ひいてはクローラユニット２が本体１に対して前後方向にスライド可能に支持されている。
【００３６】
各クローラユニット２は、移動手段６０により本体１０に対して前後方向に移動されるようになっている。この移動手段６０は、前後方向に延びてその両端が本体１のベースフレーム１ａの前辺部と中間部とに固定されたラック６１（第１係合部材）と、このラック６１と噛み合うピニオン６２（第２係合部材）と、このピニオン６２を正逆方向に回転するモータ６３（第３駆動手段）とを有している。
【００３７】
図５に示すように、上記ピニオン６２とモータ６３は、移動体１０のベースフレーム１１内に配置されている。より具体的には、上記ピニオン６２はベースフレーム１１の長板１１ａ間に掛け渡された補助板１５に回転可能に支持されており、上記モータ６３も長板１１ａ間に掛け渡された他の補助板１６に水平をなして固定されている。
【００３８】
各クローラユニット２は、対応する移動手段６０のモータ６３を駆動し、ピニオン６２のラック６１に対する係合位置を変えることにより、本体１に対して前後方向に位置調節される。
【００３９】
上記構成をなす走行装置は、前述したように第１駆動手段３０で各クローラ２０を回転駆動することにより走行する。比較的高速度で走行する場合は水の抵抗を受けてバランスが保ちにくく、図７に示すように斜面を登ったり降りたりする場合にも、バランスを保ちにくいが、このような状況では、図３，図７に示すように、移動手段６０により前側のクローラユニット２を本体１から最大限前方に突出し、後側のクローラユニットを最大限後方に突出させるとともに、第２駆動手段４０により各クローラ２０を本体１のベースフレーム１１とほぼ水平に倒す。これにより、前側クローラ２０の接地部の前端Ｘ１と後側クローラ２０の接地部の後端Ｘ２との距離Ｄは最大となり、最も安定した走行姿勢をとることができる。
【００４０】
また、傾斜していない地盤を低速度で走行する場合には、移動手段６０により前後のクローラユニット２を本体１に向かって後退させることにより、前側クローラ２０の接地部の前端Ｘ１と後側クローラ２０の接地部の後端Ｘ２との距離Ｄは最小にする。このようにすれば、クローラ２０が砂や泥濘を巻き上げる量を抑制し、ビデオカメラ５の映像を乱さない。
【００４１】
上記のように、クローラ２０の接地部の前端Ｘ１と後端Ｘ２との距離Ｄを調節することができる。前側のクローラ２０の位置と後側クローラ２０の位置は個別に調節されるので、上記距離Ｄの接地領域における走行装置の重心位置も調節することができる。
【００４２】
海底に凹凸がある場合にはその凹凸に合わせて第２駆動手段４０を駆動してクローラ２０を揺動させることにより安定して走行することができる。
【００４３】
次に、図８（Ａ）〜（Ｈ）を参照して、走行装置が段差を乗り越える際の作用を説明する。初期状態では、図７に示すのと同じように前側のクローラユニット２のスライド位置が最も前にあり、そのクローラ２０が前方に倒れて、ほぼ水平をなしており、後側のクローラユニット２のスライド位置が最も後にあり、そのクローラ２０が後方に倒れて、ほぼ水平をなしている。
【００４４】
全てのクローラ２０を同一方向、同一速度で回転駆動し、走行装置を前進させる。この走行装置の前進は以下の図８（Ａ）〜図８（Ｈ）の工程において継続される。
【００４５】
走行装置が段差１００に近づいたら、前側のクローラユニット２の左右一対のクローラ２０を所定角度上げる（図８（Ａ）参照）。
【００４６】
やがて、前側のクローラ２０が段差１００に当たると（図８（Ｂ）参照）、前側のクローラ２０が段差１００の段鼻部１０１を上り始める。前側のクローラ２０が段鼻部１０１を昇る途中で、前側のクローラ２０を下方に回動させる。これにより、前側のクローラ２０は段鼻部１０１を乗り越える（図８（Ｃ）参照）。この前側のクローラ２０の下方への回動工程において後側のクローラ２０を少しだけ上げ、これにより後側のクローラ２０の接地領域を確保するのが好ましい。
【００４７】
次に、後側のクローラ２０を下方に回動させ、これにより本体１の後部を徐々に持ち上げてその傾きを減じる（図８（Ｄ）参照）。この本体１の後部の持ち上げ工程において、前側のクローラユニット２を本体１に対して徐々に後方にスライドさせる。前側のクローラ２０は後側のクローラ２０と同様に前進を続けているから、結果として、本体１が前側のクローラ２０に対して前進することになる。
【００４８】
海底等の砂地等の軟弱地盤ではクローラ２０による牽引力が弱く、しかも浮力が作用するためより一層牽引力が弱くなるが、上述したように本体１の重心の移動により段差１００を円滑に乗り越えることができる。
【００４９】
次に、前側のクローラ２０を少し上げることにより、前側のクローラ２０のほぼ全体を接地させるとともに、本体１の傾きを減じる（図８（Ｅ）参照）。
【００５０】
やがて後側のクローラ２０が段鼻部１０１に当たる（図８（Ｆ）参照）。その後、後側のクローラ２０を段鼻部１０１を通過する過程で徐々に上げる。段差１００を越え終わると、前後のクローラ２０は略水平になる（図８（Ｇ）参照）。
【００５１】
最後に前側クローラユニット２を前進させて本体１から突出させ、初期状態にする（図８（Ｈ）参照）。
【００５２】
なお、本体１の後部を進行方向に向けて走行しながら（後退しながら）、段差を乗り越える場合には、前後のクローラ２０の制御を上記とは逆にすればよい。
上記段差乗り越えは、遠隔操作により行っているが、これをコントロールユニットでの自動制御により行ってもよい。
【００５３】
次に、本発明の第２実施形態について図９を参照しながら説明する。この実施形態において、第１実施形態に対応する構成部は図において同番号を付してその詳細な説明を省略する。
【００５４】
第２実施形態が第１実施形態と異なる点は、本体１の前部および後部のそれぞれに、左右一対のクローラユニット２Ｌ、２Ｒが配置されていることである。これらクローラユニット２Ｌ、２Ｒは、左右に配置された移動体１０Ｌ、１０Ｒのそれぞれに、１つのクローラ２０とこのクローラ２０のための第１、第２駆動手段３０，４０を組み込むことにより、構成されている。
【００５５】
第２実施形態では、左右のクローラユニット２Ｌ、２Ｒは、対応するガイド手段５０と移動手段６０により独立してスライド制御される。
【００５６】
本発明は、上記実施例に制約されず、種々の態様を採用することができる。例えば、移動手段は、雄ねじロッド（第１係合部材）と、この雄ねじロッドに螺合されるナット（第２係合部材）と、このナットを回転させる第３駆動手段により構成してもよい。
本発明は、陸上走行用の走行装置にも適用できる。
【産業上の利用可能性】
【００５７】
本発明は、水中や陸上を走行し、段差を上る走行装置に適している。
【符号の説明】
【００５８】
１  本体
２、２Ｌ、２Ｒ  クローラユニット
１０，１０Ｌ、１０Ｒ  移動体
２０  クローラ
３０  第１駆動手段
３１  モータ
４０  第２駆動手段
４１  モータ
５０  ガイド手段
５１  ガイドロッド
５５  スライダ
６０  移動手段
６１  ラック（第１係合部材）
６２  ピニオン（第２係合部材）
６３  モータ（第３駆動手段）
【図１】
0005594666.tif 000002
【図２】
0005594666.tif 000003
【図３】
0005594666.tif 000004
【図４】
0005594666.tif 000005
【図５】
0005594666.tif 000006
【図６】
0005594666.tif 000007
【図７】
0005594666.tif 000008
【図８】
0005594666.tif 000009
【図９】
0005594666.tif 000010